(57)【要約】【課題】精油製品の素材が一瞥してわかるようにした木工品とその製造方法を提供する。【解決手段】円筒状のくぼみ（容器保持部）１２を有する板状からなる木工品本体１１と、くぼみ（容器保持部）１２に納められる精油容器１３を備え、木工品本体１１の素材と精油容器１３内に収められる精油の素材が同種である木工品。地域木材（木部、枝葉部、葉部）を仕入れ精油を抽出。素材の板の中心部をくり抜き、ラベルを貼った精油瓶を入れ商品展開。精油抽出後の残渣は乾燥させ、天然糊（米糊）と混ぜたものをビニール袋に入れ手で捏ねて形を整える。上部にくぼみを付け金具を差し込み２乃至３週間乾燥させる。乾燥したらサンドペーパーで磨き表面の形とザラツキを整え天然塗料を塗り、１時間〜２時間乾燥させ完成する。【選択図】図１
2019018543.tif 000002
【特許請求の範囲】
【請求項１】
容器保持部としての円筒状のくぼみを有する板状からなる木工品本体と、前記くぼみに納められる精油容器を備え、前記精油容器内に精油が収められる、木工品。
【請求項２】
木材のおが粉と接着剤との混合物からなり穴部を有する様に成型した木工品本体と、前記穴部に設けられた筒を備え、前記筒内に、木材から抽出した精油が収められる、木工品。
【請求項３】
前記木工品本体の素材と前記精油の素材が同種である、請求項１又は２に記載の木工品。
【請求項４】
精油の素材とその精油の容器保持部を設けた木工品本体となる木材を準備し、その木材より精油を抽出する。その木材に容器保持部としてのくぼみを作成し、その容器保持部に抽出した精油を入れた精油容器を押し込んで配置する、木工品の製造方法。
【請求項５】
精油の材料とその精油の容器保持部を設けた陳列部材となる木材を準備し、その木材より精油を抽出し、その精油の残渣を乾燥させて糊で形成して型を作製し、当該型の内部に、その抽出した精油を収容する、木工品の製造方法。
【請求項６】
前記精油の素材はいずれも国産材（すなわち、日本全国からの材料）であり一定の範囲の地域材で同じ種類の物から作られ、前記精油容器のラベルは十二単の色から地域材を指定して貼付ける、請求項４に記載の木工品の製造方法。
【発明の詳細な説明】
【技術分野】
【０００１】  本発明は、木工品とその製造方法に関する。
【背景技術】
【０００２】  従来、精油商品はガラス瓶に入れられそのまま、若しくは紙箱、木箱入りで販売されている。精油商品は木材から抽出した液状のものである。
【先行技術文献】
【特許文献】
【０００３】
【特許文献１】特開２０１４−５０６５３
【特許文献２】特開平８−１８４１
【非特許文献】
【０００４】
【非特許文献１】ｈｔｔｐ：／／ｗｗｗ．ｎｔｖ．ｃｏ．ｊｐ／ｂｕｒａｒｉ／０２１０１９／ｉｎｆｏ０６．ｈｔｍｌ
【非特許文献２】ｈｔｔｐｓ：／／ｗｗｗ．ｎａｇｏｍｉｎｏ−ｓａｔｏ．ｃｏｍ／作家陶歴／小杉荘八／
【発明の概要】
【発明が解決しようとする課題】
【０００５】  従来の精油商品は瓶に入れられるか、若しくは箱入りで市販されているため精油商品の素材が一瞥してわからない。【０００６】  そこで本発明は、精油商品の素材が一瞥してわかるようにした木工品とその製造方法を提供することを目的とする。
【課題を解決するための手段】
【０００７】  上記目的を達成するために本発明は以下の手段を講じる。
１）容器保持部としての円筒状のくぼみを有する板状からなる木工品本体と、前記くぼみに納められる精油容器を備え、前記精油容器内に精油が収められる、木工品。
２）木材のおが粉と接着剤との混合物からなり穴部を有する様に成型した木工品本体と、前記穴部に設けられた筒を備え、前記筒内に、木材から抽出した精油が収められる、木工品。
３）前記木工品本体の素材と前記精油の素材が同種である、前記１）又は２）に記載の木工品。
４）精油の素材とその精油の容器保持部を設けた木工品本体となる木材を準備し、その木材より精油を抽出する。その木材に容器保持部としてのくぼみを作成し、その容器保持部に抽出した精油を入れた精油容器を押し込んで配置する、木工品の製造方法。
５）精油の材料とその精油の容器保持部を設けた陳列部材となる木材を準備し、その木材より精油を抽出し、その精油の残渣を乾燥させて糊で形成して型を作製し、当該型の内部に、その抽出した精油を収容する、木工品の製造方法。
６）前記精油の素材はいずれも国産材（すなわち、日本全国からの材料）であり一定の範囲の地域材で同じ種類の物から作られ、前記精油容器のラベルは十二単の色から地域材を指定して貼付ける、前記４）に記載の木工品の製造方法。
【発明の効果】
【０００８】  本発明によれば、精油商品（精油製品）の素材の見える化ができるため、精油商品（精油製品）の素材が一瞥してわかる。
【図面の簡単な説明】
【０００９】
【図１】本発明の第一実施形態の木工品の針視図である。
【図２】本発明の第二実施形態の木工品の断面図である。
【発明を実施するための形態】
【００１０】  以下、図面を参照しながら本発明を実施する為の形態を説明する。
図１は、本発明の第一実施形態の木工品の針視図である。本発明の第一実施形態の木工品１０は木工品本体１１と精油容器１３と備える。木工品本体１１は，板材を所定の形状、例えば直方体で所定の大きさにカットしたもので、その表面中央部に円形のくぼみ１２を有する。くぼみ１２は精油容器１３の直径よりも短い深さを有する。そのため、くぼみ１２に精油容器１３をはめ込んで配置すると、精油容器１３が木工品本体１１の表面より張り出しているので、精油容器１３が目につきやすく取り出しやすい。くぼみ１２は正面視で円形であるので精油容器１３の四隅で保持されている。そのため比較的軽い力で取り出すことができる。
【００１１】  この木工品本体１１は、精油容器１３内に納められる精油の素材と同種であることから、精油の素材を木工品本体１１により視覚で識別することができ、精油の素材が容易にわかる。この木工品本体１１と精油の素材はいずれも国産材（すなわち、日本全国からの材料）であって、一定の範囲の地域材で同じ種類の物から作られることが望ましい。精油容器１３のラベルとして、十二単の色から地域材を指定して貼付けられる。
【００１２】  精油商品と同種の木部以外の枝葉部、葉部の精油材においては、素材を木工品本体１１の一部の付属品１１ａとして、その樹木の特定の形状となるように構成して、取り付けても良い。
【００１３】  次に、図１の木工品１０の製造方法について説明する。
まず、精油の素材とその精油の容器保持部を設けた木工品本体となる木材を準備し、その木材より精油を抽出する。その木材にくぼみ（精油保持部）１２を設けることにより、くぼみ（容器保持部）１２を作成し、その容器保持部に抽出した精油を入れた精油容器１３を押し込んで配置する。精油を抽出する木材には木部、枝葉部、葉部のいずれか１つ以上が含まれている。
【００１４】  図２は、本発明の第二実施形態の木工品の断面図である。
本発明の第二実施形態の木工品２０は、木工品本体２１と取り外しできない様に固定された有底の金属製若しくはガラス製の筒２２の先端の開口から挿入される栓２４を備える。
【００１５】  木工品本体２１は金属製若しくはガラス製の筒２２を備える。木工品本体２１は手のひらサイズの丸みを帯びた形状でその中央部分にくぼみを作り、金属製若しくはガラス製の筒２２が入るように穴を開け、筒２２を差し込む。金属製若しくはガラス製の筒２２が、木工品本体２１より少し上部を出すことにより、精油を注入しやすく棒部材２３を差し込みやすく、見た目にも木工品本体２１の色とのコントラストから目につきやすくなる。金属製若しくはガラス製の筒２２は木工品本体２１と接着しているため、栓２４や棒部材２３の抜き差しの際にはずれることはなく、簡単に作業ができる。
【００１６】  図２に示す木工品２０の製造方法について説明する。木工品本体２１は、所定のおが粉を国産米糊を入れて撹拌して所定の形に成型して作成された物であり、平面視の中央に筒２２が固定されている。筒２２の先端部２２ａは木工品本体２１から突出していて栓２４の下部が挿入される。筒２２内には、国産材である一定の範囲の地域材から副産物として出されるおが粉（木部）、枝葉部、葉部から抽出された精油を希釈したもの若しくは抽出の際、同時にとれるアロマウォーターに揮発性を高める為にアルコールを混ぜて竹串２３に浸し、筒２２に差し込む。または栓２４を差し込んでも良い。精油を抽出する木材には木部、枝葉部、葉部のいずれか１つ以上が含まれているため、葉部から精油を抽出する場合などには、葉部の形を有する装飾部２４ａを栓２４の一部として取り付けてもよい。
【００１７】  このように、木工品２０の製造方法は、アロマオイルの材料とそのアロマオイルの収容部を保持する為の木工品本体２１となる木材を準備し、その木材の精油によりアロマオイルを抽出し、その精油の残渣を乾燥させて糊と混ぜて型を作製し、当該型の内部に、その抽出したアロマオイル又はアロマオイルウオーターを注入する。
【００１８】  上述したように、残渣を木工品として活用し産業化に結びつける商品を提供することができ、地域経済へ貢献することができる。
【００１９】  さらに、具体的な実施例について以下説明する。地域材から精油を抽出する。木板の中心部をくり抜き、ラベルを貼った精油瓶を入れて商品を展開可能にする。精油抽出後の残渣は湿気がなくなるまで乾燥させ、天然米糊と一緒にビニール袋に入れ手で捏ねて形を整える。上部にくぼみを付け金具を差し込み、２〜３週間乾燥させる。乾燥したらサンドペーパーで磨き表面の形とザラツキを整え、天然塗料を塗り、１時間〜２時間乾燥させることで完成される。
【００２０】  本発明の実施形態によれば、全都道府県の木材で精油商品を展開することで商品ラインを統一化でき、消費者に分かりやすく材料の見える化と日本の森の香りを提供することできる。
【００２１】  特に、図２に示す木工品では、木工品本体が金具となる筒を入れることにより、ドライフラワーの一輪挿し、リードディフューザー、置物として３つ活用が可能になる。
【００２２】  本発明の実施形態によれば、残渣の活用により廃棄物の軽減と商品展開で森の管理資金に貢献できる。製作過程に高齢者の技術を取り入れ高齢者の仕事に結びつけることができる。全て国産天然素材なので使用後は金具を外し、本体のみを各地域で回収箱を設け、森に還すことで資源の循環型システムを構築することができる。その循環型システムをモデル化することで各地域にてフランチャイズ展開し、誰でもできる形にすることで地域の雇用促進と木材自給率の向上に貢献できる。
【符号の説明】
【００２３】  １０・・木工品
１１・・木工品本体
１１ａ・・付属品
１２・・くぼみ
１３・・精油容器
２０・・木工品
２１・・木工品本体
２２・・金属製若しくはガラス製の筒
２２ａ・・先端部
２３・・棒部材（竹串）
２４・・栓
２４ａ・・装飾部
【図１】
2019018543.tif 000003
【図２】
2019018543.tif 000004